(57)【特許請求の範囲】
【請求項１】
両端にガイド軸を具え中間にギヤリンク部材を具えたキートップと、平行な回転軸と摺動軸とを具え該回転軸が該キートップの内側に装着されたリンクと、該キートップおよび該リンクが装着されるパネル完成とを有し、
該パネル完成は、少なくとも２個のガイドホルダと、該ガイドホルダの中間に配設されたギヤリンクホルダと、任意の設定位置に複数の該ギヤリンクホルダまたは該ガイドホルダが装着可能な孔を具えたパネルとを有し、
該ガイドホルダは、該ガイド軸を摺動自在に支持するガイド軸支持部と、該リンクの摺動軸を摺動自在に支持するリンク支持部と、該ガイド軸支持部および該リンク支持部と一体形成され該孔に装着される台座部とを有し、
該ギヤリンクホルダは、該キートップの押下に伴って左右に移動する該摺動軸を摺動自在に支持するガイド爪と、該ガイド爪と一体形成され該孔に装着される台座部とを有することを特徴とするキーボード。
【請求項２】
前記ガイドホルダまたは前記ギヤリンクホルダの台座部は、相対する側面の一方に突起を有すると共に他方に弾性支持部を具え、前記パネルは、前記孔の一方の縁に沿って等間隔に形成され、該突起の嵌入可能な複数の切欠きを有することを特徴とする請求項１記載のキーボード。
【請求項３】
前記パネルは、前記孔が前記ガイドホルダの外側に空きスペースを有するとき、該空きスペースに第２のギヤリンクホルダが装着可能であり、第２のギヤリンク部材を介して該第２のギヤリンクホルダに、第２のキートップが装着可能であることを特徴とする請求項１記載のキーボード。
【発明の詳細な説明】
【０００１】
【発明の属する技術分野】
本発明はパソコンやワープロを始めとする各種情報処理装置において入力端末として利用されるキーボードに係り、特に同一系列のキーボードにおいてキートップの配列変更に対して容易に対処できる構造を具えたキーボードに関する。
【０００２】
パソコン等に使用されるキーボードは日本国内向けと外国向けとでキートップ上に表示される文字や記号だけでなく、例えば同一系列のキーボードであってもキースイッチの数やスペースキーに対応するキートップの長さが異なっている。
【０００３】
しかし、キートップの配列が異なるキーボードの製造に際しそれぞれのキートップ配列に適したパネル等を準備すると、専用の成形金型を必要とするため部品コストが高騰すると共に部品の在庫が増加しパソコンの低コスト化を阻害する。
【０００４】
そこで同一系列のキーボードにおいてキートップの配列変更に対し容易に対処できるキーボードの開発が要望されている。
【０００５】
【従来の技術】
図３はキーボードのキートップ配列を示す模式図、図４はギヤリンク方式のキースイッチを示す分割斜視図、図５は従来のスペースキーキートップの構造を示す斜視図である。
【０００６】
日本国内において使用されるＤＯＳーＶ配列のキーボードは図３(a) に示す如く最前列中央にスペースキー11が置かれ、スペースキー11の両側に例えばかな文字を漢字に変換する際に押下される変換キー12や無変換キー13等が配置される。
【０００７】
米国等において使用されるキーボードの場合も同様に図３(b) に示す如くスペースキー14が最前列中央に配置されるが、この場合は変換キー12や無変換キー13等が不要であるためスペースキー11より長いスペースキー14が使用されている。
【０００８】
キートップの長さは一般に通常のキートップを基準として２倍の長さであれば２ｕ、３倍の長さであれば３ｕと表され、日本国内で使用されるＤＯＳーＶ配列のキーボードではスペースキー11に 2.5ｕ乃至３ｕのキートップが用いられる。
【０００９】
それに対して米国等において使用されるキーボードは変換キー12や無変換キー13に対応するキースイッチが省略され、スペースキー14として変換キー12や無変換キー13に対応する領域を含む 4.5ｕ乃至５ｕの長いキートップが用いられる。
【００１０】
ギヤリンク方式のキースイッチは図４に示す如く一対のギヤリンク部材21で連結されたキートップ31と支持部32を有し、支持部32の下面にはサポートパネル33によって支承されたメンブレンスイッチ34とゴムシート35とが装着されている。
【００１１】
それぞれのギヤリンク部材21は摺動軸22と中間腕23を介して摺動軸22の先端近傍に連結された一対のギヤ部24とを有し、ギヤ部24は円周方向に配列された少なくとも１個の歯25と中央に設けられた摺動軸22と平行な回転軸26を具えている。
【００１２】
キートップ31は下面にそれぞれ２個の軸受孔36を具えた一対の軸受部37が軸受孔36を互いに対抗させて形成されており、歯25を互いに噛み合わせた状態で隣接するギヤ部24の回転軸26がそれぞれ軸受孔36に嵌挿され回動自在に保持される。
【００１３】
一方、支持部32は一対の摺動軸22がそれぞれ嵌入可能な凹部38と凹部38の上部に形成されたガイド爪39とを具えており、凹部38にそれぞれ装着された摺動軸22の少なくとも両端は凹部38の底面とガイド爪39とにより摺動自在に保持される。
【００１４】
メンブレンスイッチ34は導体パターン形成面がスペーサ41を介して相対する２枚のフレキシブルプリント基板42を有し、図示省略されているが隙間を介して対抗する導体電極からなるスイッチ素子がキートップ31の直下に配設されている。
【００１５】
メンブレンスイッチ34に重置されるゴムシート35はスイッチ素子上に形成されたドーム状のアクチュエータ43を有し、アクチュエータ43上に形成された凸部44がキートップ31の下面に当接してキートップ31を所定の位置に押し上げている。
【００１６】
キートップ31が押下されるとギヤリンク部材21は回転軸26の回りを回動して摺動軸22の間隔が左右に広がると同時に、キートップ下面に当接しているアクチュエータ43が反転しメンブレンスイッチ34の図示省略された導体電極間が閉じる。
【００１７】
キートップ31を押下している力が除去されると反転していたアクチュエータ43が復元してキートップ31が押し上げられ、それに伴って一対のギヤリンク部材21が反対方向に回動しそれまで左右に広がっていた摺動軸22の間隔が縮小される。
【００１８】
ギヤリンク方式キースイッチを用いたキーボードにおいてスペースキーのように長いキートップ45は図５に示す如く、押下位置に関係なく円滑に動作させるため回動自在に装着されたリンク46と両端に形成されたガイド軸47を具えている。
【００１９】
即ち、図５(a) はスペースキーとして用いられる５ｕのキートップ、図５(b) は３ｕのキートップの装着方法を表し、いずれのキートップ45もそれぞれ両端にガイド軸47が形成され中間にはギヤリンク部材21が回動自在に装着されている。
【００２０】
また、平行な回転軸48と摺動軸49とを具えたリンク46の回転軸48がキートップ45の内側に回動自在に装着されており、キートップ45が装着されるパネル15にギヤリンク部材21の摺動軸22を保持する凹部38とガイド爪39とが設けられている。
【００２１】
パネル15はキートップ45のガイド軸47と対向する位置にガイド軸47を摺動自在に保持するガイド軸支持部16を具備し、ガイド軸支持部の隣に水平方向に移動するリンク46の摺動軸49を摺動自在に支持するリンク支持部17が設けられている。
【００２２】
【発明が解決しようとする課題】
しかし、同一系列であっても国内向けと外国向けとでキースイッチの数やスペースキーの長さ等が異なるキーボードで、ギヤリンク部材の支持部やガイド軸支持部を直接パネルに形成するとそれぞれ専用のパネルを準備する必要が生じる。
【００２３】
パソコン等を低価格化する手段としてキーボードの低コスト化が要望されているがパネルの形成には専用金型が必要で、国内向けのキーボードと外国向けのキーボードにそれぞれ専用のパネルを準備するとパネル形成金型の数が増加する。
【００２４】
また、国内向けと外国向けとで専用のパネルを準備すると部品点数が増加して製造や管理に要するコストの増大を招き、金型に関する費用に部品の製造や管理を費用が加算されてキーボードの低コスト化が阻害されるという問題があった。
【００２５】
本発明の目的は同一系列のキーボードにおいてキートップの配列変更に対し容易に対処できるキーボードを提供することにある。
【００２６】
【課題を解決するための手段】
図１は本発明になるキーボードの主要部を示す斜視図である。なお全図を通し同じ対象物は同一記号で表している。
【００２７】
上記課題は両端にガイド軸47を具え中間にギヤリンク部材21を具えたキートップ45と、平行な回転軸48と摺動軸49とを具え回転軸48がキートップ45の内側に装着されたリンク46と、キートップ45およびリンク46が装着されるパネル完成５とを有し、パネル完成５は、少なくとも２個のガイドホルダ52と、ガイドホルダ52の中間に配設されたギヤリンクホルダ53と、任意の設定位置に複数のギヤリンクホルダ53またはガイドホルダ52が装着可能な角孔54を具えたパネル51とを有し、ガイドホルダ52は、ガイド軸47を摺動自在に支持するガイド軸支持部56と、リンク46の摺動軸49を摺動自在に支持するリンク支持部57と、ガイド軸支持部56およびリンク支持部57と一体形成され角孔54に装着される台座部58とを有し、ギヤリンクホルダ53は、キートップ45の押下に伴って左右に移動する摺動軸22を摺動自在に支持するガイド爪39と、ガイド爪39と一体形成され角孔54に装着される台座部55とを有する本発明のキーボードによって達成される。
【００２８】
このようにパネル完成が、ガイドホルダと、ガイドホルダの中間に配設されたギヤリンクホルダと、任意の設定位置に複数のギヤリンクホルダまたはガイドホルダが装着可能な角孔を具えたパネルとを有する本発明のキーボードは、ガイドホルダをキートップの長さに対応させパネルの角孔に装着することによって、同一パネルやギヤリンクホルダおよびガイドホルダを用い、キースイッチの数やスペースキーの長さ等が異なる複数種類のキーボードを形成することができる。
【００２９】
例えば、中央に１個のギヤリンクホルダを装着し、１個分のスペースを隔てて両側にそれぞれガイドホルダを装着することによって、外国向けキーボードに多い５ｕの長いキートップをスペースキーとして装着することが可能になる。
【００３０】
また、中央に装着された１個のギヤリンクホルダに隣接させて両側にガイドホルダを装着することによって、国内向けのキーボードに多い３ｕのキートップをスペースキーとして装着することが可能になり、しかも、ガイドホルダの外側の空きスペースにギヤリンクホルダを装着することによって、例えば、スペースキーの外側に変換キーや無変換キー等を装着することが可能である。
【００３１】
即ち、同一系列のキーボードにおいてキートップの配列変更に対し容易に対処できるキーボードを実現することができる。
【００３２】
【発明の実施の形態】
以下添付図により本発明の実施例について説明する。なお図２はガイドホルダとギヤリンクホルダの細部を示す図である。
【００３３】
本発明になるキーボードは図１に示す如くパネル完成５に従来のキーボードと同じキートップ45とリンク46が装着され、キートップ45は振れ止め用のガイド軸47が両端に形成され中間部にはギヤリンク部材21が回動自在に装着されている。
【００３４】
また、平行な回転軸48と摺動軸49とを具えたリンク46は回転軸48がキートップ45の内側に回動自在に装着されており、水平方向に移動する摺動軸49を摺動自在に保持することによって押下位置に関係なくキートップ45を円滑に押下できる。
【００３５】
パネル完成５はパネル51と２個のガイドホルダ52およびガイドホルダ52の中間に配設されたギヤリンクホルダ53を有し、パネル51は少なくとも５個のギヤリンクホルダ53もしくはガイドホルダ52が装着可能な長方形の角孔54を具えている。
【００３６】
ギヤリンクホルダ53は図２(a) に示す如くギヤリンク部材21の摺動軸22を摺動自在に保持する凹部38およびガイド爪39と、凹部38およびガイド爪39と一体形成され組立に際しパネル51の角孔54に装着される四角形の台座部55を具えている。
【００３７】
また、ガイドホルダ52は図２(b) に示す如くキートップ45のガイド軸47を摺動自在に支持可能なガイド軸支持部56と、キートップ45の上下動に伴って水平方向に移動するリンク46の摺動軸49を摺動自在に支持するリンク支持部57を有する。
【００３８】
前記ガイド軸支持部56とリンク支持部57とはパネル51の角孔54に装着される四角形の台座部58と一体形成されており、一対のガイドホルダ52をパネル51の角孔54に装着する際はそれぞれが角孔54のガイド軸47と対向する位置に装着される。
【００３９】
図示の如くギヤリンクホルダ53の台座部55とガイドホルダ52の台座部58は相対する側面の一方に突起59を具えており、角孔54は図１に示す如く一方の縁に沿って等間隔に形成された突起59が嵌入可能な少なくとも５個の切欠き60を有する。
【００４０】
ギヤリンクホルダ53およびガイドホルダ52の装着に際しそれぞれの突起59を角孔54の切欠き60に嵌入させることにより、ギヤリンクホルダ53およびガイドホルダ52はパネル51の所定の位置に位置決めされキートップ45を容易に装着できる。
【００４１】
また、ギヤリンクホルダ53とガイドホルダ52の台座部は図２に示す如く相対する側面の他方に弾性支持部61が形成され、角孔54に装着されたとき弾性支持部61に設けられた凸条62が角孔54の縁に当接してパネル51からの脱落が防止される。
【００４２】
例えば、図１に示す如く間に隙間を設けギヤリンクホルダ53およびガイドホルダ52をパネル51に装着することによって、スペースキーとして５ｕの長いキートップ45を装着することが可能で外国向けのキーボードを形成することができる。
【００４３】
また、図示省略されているがギヤリンクホルダ53およびガイドホルダ52を密着させてパネル51に装着することによって、スペースキーとして３ｕの短いキートップ45が装着可能になって日本国内向けのキーボードを形成することができる。
【００４４】
しかも、日本国内向けのキーボードでは角孔54はガイドホルダ52の外側に配置されたギヤリンクホルダ53を装着でき、このギヤリンクホルダ53に別のキートップを装着することにより例えば変換、無変換キーとして使用することができる。
【００４５】
このようにパネル完成が、２個のガイドホルダと、ガイドホルダの中間に配設されたギヤリンクホルダと、５個のギヤリンクホルダもしくはガイドホルダが装着可能な角孔を具えたパネルとを有する本発明のキーボードは、２個のガイドホルダをキートップの長さに対応させてパネルの角孔に装着することによって、同一パネルやギヤリンクホルダおよびガイドホルダを用いて、キースイッチの数やスペースキーの長さ等が異なる複数種類のキーボードを形成することができる。
【００４６】
即ち、同一系列のキーボードにおいてキートップの配列変更に対し容易に対処できるキーボードを実現することができる。
【００４７】
【発明の効果】
上述の如く本発明によれば同一系列のキーボードにおいてキートップの配列変更に対し容易に対処できるキーボードを提供することができる。
【図面の簡単な説明】
【図１】  本発明になるキーボードの主要部を示す斜視図である。
【図２】  ガイドホルダとギヤリンクホルダの細部を示す図である。
【図３】  キーボードのキートップ配列を示す模式図である。
【図４】  ギヤリンク方式のキースイッチを示す分割斜視図である。
【図５】  従来のスペースキーキートップの構造を示す斜視図である。
【符号の説明】
５  パネル完成          21  ギヤリンク部材
22  摺動軸              38  凹部
39  ガイド爪            45  キートップ
46  リンク              47  ガイド軸
48  回転軸              49  摺動軸
51  パネル              52  ガイドホルダ
53  ギヤリンクホルダ    54  角孔
55  台座部              56  ガイド軸支持部
57  リンク支持部        58  台座部
59  突起                60  切欠き
61  弾性支持部          62  凸条
【図１】
0003732930.tif 000002
【図２】
0003732930.tif 000003
【図３】
0003732930.tif 000004
【図４】
0003732930.tif 000005
【図５】
0003732930.tif 000006